(57)【要約】      （修正有）【課題】光デバイスの脱落や埃等汚染物の光デバイス上への付着が発生しにくく、金属端子の金属弾性疲労の問題がなく、湾曲部分の断裂が起こりにくい、コンポジット式オーディオコネクタの提供。【解決手段】本考案のコンポジット式オーディオコネクタは、台座、接触弾性片セット、光デバイス、グランドからなり、イヤホンプラグを台座前方の貫通穴に挿入すると、その端部の錐形部が台座内の２つの相対する円弧形ラッチにより挟持され、イヤホンプラグが２つの音声チャンネル部と接地部を備えているとき、接触弾性片セットが対応する第一オーディオ端子、第二オーディオ端子及び接地段部の各接続片とそれぞれ接触を形成することで、オーディオ信号の伝送を行い、イヤホンプラグに光ファイバケーブルを備えている時、その端口が光デバイスと相対してオーディオ信号の伝送を行うことを特徴とする。【選択図】図１
0003121165.tif 000002
【実用新案登録請求の範囲】
【請求項１】
前方の軸方向に丸形貫通穴が開設され、また両側にも複数の差込口が開設され、且つ、前記貫通穴の後方が透かし彫り棒室と連結し、その左右両側に相対するように中空円弧形ラッチを突設し、且つ、これら円弧形ラッチ後方が凹形仕切り板と隣接することで隔室を形成する台座と、
第一オーディオ端子、第二オーディオ端子、及び、接地端子からなり、これら端子は、嵌入片でそれぞれ対応する差込口内壁に嵌挿され、これら接続片が前記棒室、及び、前記貫通穴内に位置し、且つ、各前記嵌入片が下方に向かって挿入ピンを突出する接触弾性片セットと、
前記隔室内に嵌装され、且つ、若干の前記挿入ピンが下方に向かって台座を貫穿する光デバイス、及び、
前記棒室、及び、前記隔室が構成する開口部に装着されるグランドを含み、
イヤホンプラグを介して前記貫通穴に挿入することで、その端部の錐形部が２つの相対する前記円弧形ラッチにより挟持され、イヤホンプラグが２つの音声チャンネル部及び１つの接地部を具備した場合、音声信号を伝送するため、それぞれ対応する前記第一オーディオ端子、前記第二オーディオ端子、及び、前記接地端子の各自接続片がそれと接触し、また、イヤホンプラグが光ファイバケーブルを具備した場合、音声信号を伝送するため、その端口が前記光デバイスと相対することを特徴する、コンポジット式オーディオコネクタ。
【請求項２】
請求項１記載のコンポジット式オーディオコネクタにおいて、前記円弧形ラッチに凸起ピンを設け、前記棒室の内側壁面に接触させることで、圧縮の限界を形成することを特徴とする、コンポジット式オーディオコネクタ。
【請求項３】
請求項１記載のコンポジット式オーディオコネクタにおいて、前記接触弾性片セットがさらに制御端子、及び、検知端子を含み、これら端子の嵌入片が既設位置で対応する差込口内に嵌挿され、且つ、各前記嵌入片が下方に向かって前記挿入ピンを突出し、前記制御端子が横方向にＶ字形を呈する弾性片を延伸し、前記検知端子に接触点を突設させ、イヤホンプラグが前記弾性片を押圧して内側に向かって後退させることで、前記接触点と接触する制御スイッチを形成することを特徴とする、コンポジット式オーディオコネクタ。
【請求項４】
請求項１記載のコンポジット式オーディオコネクタにおいて、前記第一オーディオ端子の接続片が波形を呈し、前記第二オーディオ端子、及び、前記接地端子の接続片が内側に向かって傾斜して延伸することを特徴とする、コンポジット式オーディオコネクタ。
【請求項５】
請求項１記載のコンポジット式オーディオコネクタにおいて、前記第二オーディオ端子、及び、前記接地端子の前記嵌入片頂上部が水平方向に枠片を延伸し、且つ、前記差込口頂面の枠穴内に収容設置することを特徴とする、コンポジット式オーディオコネクタ。
【請求項６】
請求項１記載のコンポジット式オーディオコネクタにおいて、前記ラッチを前記台座上方の開口部内の係止溝に係止するため、前記グランド周縁部に複数個の係止ピンを突設することを特徴とする、コンポジット式オーディオコネクタ。
【請求項７】
請求項１、または、３記載のコンポジット式オーディオコネクタにおいて、前記差込口の内壁に嵌挿するため、前記嵌入片の少なくとも片側に角形ラッチを突設することを特徴とする、コンポジット式オーディオコネクタ。
【考案の詳細な説明】
【技術分野】
【０００１】
本考案はコンポジット式オーディオコネクタに関し、詳細には、金属端子と光デバイスを結合させて一体とした、コンポジット式オーディオコネクタに関する。
【背景技術】
【０００２】
従来のイヤホンポートは、若干の金属端子とイヤホンプラグの左右音声チャンネル及び接地部をそれぞれ相互に接触させ、オーディオ信号の伝送を達成している。この金属端子は一定期間使用すると弾性疲労が起こって接触不良が発生しやすくなり、信号歪み、干渉が発生したり、不安定になったりすることがある。
【０００３】
前述のイヤホンポートの欠陥に基づき、すでにある業者は改良を加え、直接光デバイスをイヤホンポート内に設置し、光ファイバ伝送の歪みが発生しないという特性を利用してオーディオ信号の伝送を行っているものがある。しかしながら、光ファイバ式のイヤホンポートは光ファイバ式のイヤホン使用のみに制限され、光ファイバ式イヤホンの破損や遺失した場合、従来のイヤホンを使用できないため、高価な光ファイバ式イヤホンのみを継続して使用するしかなく、非常に不便である。
【０００４】
このため、業者は従来の金属端子と光デバイスを結合したイヤホンポートで、光ファイバ式イヤホンと従来のイヤホンのどちらにも適用できるものを提供しているが、その組み立て方法において、これらコンポジット式イヤホンポートには次のような欠陥がある。（１）光デバイスがコンポジット式イヤホンポートの底部に嵌入されるため脱落しやすく、且つ、両者間の結合度が優れず、隙間が残り、埃などの汚染物が光デバイス上に付着しやすい。（２）前記コンポジット式イヤホンポートはその内部において従来の金属端子を利用してイヤホンプラグを挟持しているため、金属弾性疲労の問題が起こりやすい。（３）前記コンポジット式イヤホンポート内部の金属端子は逆U字形を呈しているため、湾曲部分に断裂が発生することで従来のイヤホンが使用できなくなることがある。このため改良が待たれていた。
【考案の開示】
【考案が解決しようとする課題】
【０００５】
上述の問題に鑑みて、本考案の出願人は光電子製品及びコネクタ設計及び生産販売における長年の経験に基づき、上述のコンポジット式イヤホンポートの多くの欠陥を克服し、度重なる実験と試験を経て、本考案のコンポジット式オーディオコネクタを考案した。
【０００６】
本考案の主な目的は、一種のコンポジット式オーディオコネクタを提供することにあり、前方の軸方向に丸形貫通穴が開設され、また両側にも複数の差込口が開設され、且つ前記貫通穴の後方が透かし彫り棒室と連結し、その左右両側に相対するように中空円弧形ラッチを突設し、且つ、これら円弧形ラッチ後方に凹形仕切り板と隣接することで隔室を形成する台座と、
第一オーディオ端子、第二オーディオ端子、及び、接地端子からなり、これら端子は、嵌入片でそれぞれ対応する差込口内壁に嵌挿され、これら接続片は前記棒室、及び、前記貫通穴内に位置し、且つ各前記嵌入片が下方に向かって挿入ピンを突出する接触弾性片セットと、前記隔室内に嵌装され、且つその若干の前記挿入ピンが下方に向かって台座を貫穿する光デバイス及び前記棒室及び前記隔室が構成する開口部に装着されるグランドを含み、イヤホンプラグを介して前記貫通穴に挿入することで、その端部の錐形部が２つの相対する前記円弧形ラッチにより挟持され、イヤホンプラグが２つの音声チャンネル部及び１つの接地部を具備する場合、音声信号を伝送するため、それぞれ対応する前記第一オーディオ端子、前記第二オーディオ端子及び前記接地端子の各自接続片がそれと接触し、また、イヤホンプラグが光ファイバケーブルを具備する場合、音声信号を伝送するため、その端口が前記光デバイスと相対することにある。
【０００７】
本考案の第二の目的は、一種のコンポジット式オーディオコネクタを提供し、前記接触弾性片セットがさらに制御端子及び検知端子を含み、これら端子の嵌入片が既設位置で対応する差込口内に嵌着され、且つ、各嵌入片が下方に向かって前記挿入ピンを突出し、前記制御端子が横方向にＶ字形を呈する弾性片を延伸し、検知端子に接触点を突設させ、イヤホンプラグが弾性片を押圧して内側に向かって後退させることで、前記接触点と接触する制御スイッチを形成することにある。
【０００８】
本考案の第三の目的は、一種のコンポジット式オーディオコネクタを提供し、前記円弧形ラッチに凸起ピンを設けて、棒室の内側壁面に接触させることで、圧縮の限界を形成することにある。
【０００９】
本考案の第四の目的は、一種のコンポジット式オーディオコネクタを提供し、前記第一オーディオ端子の接続片が波形を呈し、第二オーディオ端子及び接地端子の接続片が内側に向かって傾斜して延伸し、さらに、前記第二オーディオ端子及び接地端子の嵌入片頂上部が水平方向に枠片を延伸し、且つ差込口頂面の枠穴内に収容設置することにある。
【００１０】
本考案の第五の目的は、一種のコンポジット式オーディオコネクタを提供し、ラッチを前記台座上方の開口部内の係止溝に係止するため、前記グランド周縁部に複数個のラッチを突設することにある。
【考案を実施するための最良の形態】
【００１１】
本考案の具体的技術内容について、以下、図面に基づき詳細に説明する。図１は本考案のコンポジット式オーディオコネクタの立体分解図で、図２が本考案の組み立て後の断面図で、図３が本考案の組み立て後の立体図で、図４が本考案の組み立て後の底面立体図をそれぞれ示している。
【００１２】
図１から図４に示すように、本考案のコンポジット式オーディオコネクタは、台座１、接触弾性片セット２、光デバイス３、グランド４からなる。
【００１３】
そのうち、台座１は絶縁性の長方形の台座であり、その前方軸方向に丸形貫通穴１１を開設し、両側に複数の差込口１２を設け、下記接触弾性片セット２の複数の端子の嵌入に用いる。本考案の特徴は、前記丸形貫通穴１１後方が透かし彫り棒室１３と連結し、その左右両側に相対するように中空円弧形ラッチ１４を突設し、これら円弧形ラッチ１４は弾性伸縮機能を備え、且つ、各円弧形ラッチ１４に凸起ピン１４１を設けて、棒室１３の内側壁面に接触させることで、圧縮の限界を形成する。さらに、光デバイス３を嵌装するため、これら円弧形ラッチ１４後方に凹形仕切り板１５と隣接することで隔室１６を形成し、且つこの隔室１６底面に図４に示すような若干のピン孔１６１を開設し、挿入ピン３１の貫通に用いる。
【００１４】
前記接触弾性片セット２は、第一オーディオ端子２１、第二オーディオ端子２２、接地端子２３、制御端子２４及び検知端子２５からなり、且つこれら端子が既設位置に対応する差込口１２内に嵌着される。図に示すように、これら端子は、回路板に定着するため、嵌入片２６の突設する角形ラッチ２６１を差込口１２内壁にそれぞれ嵌挿され、且つ下方に向かって挿入ピン２７を突出する。
【００１５】
このうち、前記第一オーディオ端子２１はＵ字形を呈し、その貼り合わせ面２１１表面に波形接続片２１２を設け、従来のイヤホンプラグ錐形部の音声チャンネル部に接触することで、オーディオ信号の伝送を形成する。その他、この第一オーディオ端子２１の両側に上方に向かって嵌入片２６を突出し、且つ棒室１３底部両側の差込口１２に嵌挿するため、各嵌入片２６の両側にラッチ２６１を突設し、且つ貼り合わせ面２１１が下方に向かって挿入ピン２７を突出する。
【００１６】
前記第二オーディオ端子２２及び接地端子２３は同じ形状であり、嵌入片２６中央に内側に向かって接続片２２１、２３１を傾斜して延伸し、それぞれ従来のイヤホンプラグの平直部分の他の音声チャンネル部及び接地部と接触することで、オーディオ信号の伝送とチャンネルの形成を行う。さらに、前記第二オーディオ端子２２及び接地端子２３の嵌入片２６頂上部が水平方向に枠片２２２，２３２を延伸し、且つ前記差込口１２頂面の枠穴１２１内に収容設置し、これにより、接続片２２１、２３１が内側に向かって傾斜しているため、断裂が起こりにくくなる。このほか、前記２つの端子２２１、２３１の嵌入片２６両側にラッチ２６１を突設し、貫通穴１１片側の差込口１２内に嵌挿し、且嵌入片２６が下方に向かって挿入ピン２７を突出する。
【００１７】
前記制御端子２４及び検知端子２５は制御スイッチを形成し、例えば、光デバイス３の電源の導通有無を制御し、省エネの効果を得る等の目的に用いることができる。前記制御端子２４の嵌入片２６は、横方向にＶ字形を呈する弾性片を延伸し、前記検知端子２５の嵌入片２６に接触点２５１を突設ける。このほか、前記両端子２４、２５の嵌入片２６の片側に貫通穴１１の他側の両隣接差込口１２内（図４参照）に嵌挿するため、ラッチ２６１を突設し、且つ嵌入片２６が下方に向かって挿入ピン２７を突出する。
【００１８】
光デバイス３が従来の部材である時、隔室１６内に嵌装され、且つ若干の挿入ピン３１が対応するピン孔１６１を貫通する。
【００１９】
グランド４は板体であり、棒室１３及び隔室１６が構成される開口部に装着することで、台座１上方の開口部を封止する。前記台座１上方の開口部内の係止溝に係止するため、その周縁部に複数個の係止ピン４１を突設する。
【００２０】
本考案の実際の操作時は、従来のイヤホンプラグを挿入すると、錐形部の音声チャンネル部が２つの相対する円弧形ラッチ１４により挟持され、且つ、前記接続片２１２が接触し、また、第二オーディオ端子２２及び接地端子２３の内側に向かって傾斜して延伸された前記接続片２２１、２３１がそれぞれ平直部分の他の音声チャンネル部と接地部と接触させることでチャンネルを形成する。この時、前記制御端子２４の前記弾性片２４１が平直部分の接地部により押圧して内側に向かって後退して検知端子２５の接触点２５１に接触させることで接地が形成される。そのためイヤホンは本考案のコネクタの金属端子によりオーディオ信号を得ることができる。
【００２１】
また、光ファイバ式イヤホンプラグを挿入した場合、その錐形部が２つの相対する円弧形ラッチ１４により挟持され、その端口の光ファイバケーブルが前記光デバイス３に合わせられ、前記制御端子２４の前記弾性片２４１が平直部分により押圧して内側に向かって後退して検知端子２５の接触点２５１に接触することで電源が導通され、前記光デバイス３が光線を投射してイヤホンがオーディオ信号を得る。
【００２２】
本考案の実施により、前記光デバイス３を前記台座１内に設置することで脱落を防ぎ、且つ隙間がないため、埃等の汚染物質が前記台座１内に進入するのを防ぐことができる。さらに、本考案は相対するように設置された２つの前記円弧形ラッチ１４でイヤホンプラグを挟持するため、金属弾性疲労の問題が起こらない。このほか、本考案の前記第二オーディオ端子及び前記接地端子は特殊な設計で断裂が起こりにくくなり、同種の製品よりはるかに優れた構造となっている。
【００２３】
本考案に開示したものは、好ましい実施例であり、各種局部的な改変或いは修飾について、本考案の技術精神に基づき、当該技術を熟知する者が、容易に推察できるものも本考案の実用新案登録請求の範囲に属するものとする。
【００２４】
前記をまとめると、本考案は目的、手段と効果について、従来の技術特徴とは異なり実用新案権登録の法定要件を満たしているので法律に則ってここに申請する。審査委員の皆様の詳細なる審査を受け、一日も早く登録していただくよう切に願います。
【図面の簡単な説明】
【００２５】
【図１】本考案のコンポジット式オーディオコネクタの立体分解図である。
【図２】本考案の組み立て後の断面図である。
【図３】本考案の組み立て後の立体図である。
【図４】本考案の組み立て後の底面立体図である。
【符号の説明】
【００２６】
１        台座
１１      貫通穴
１２      差込口
１２１    枠穴
１３      棒室
１４      円弧形ラッチ
１４１    凸起ピン
１５      凹形仕切り板
１６      隔室
１６１    ピン孔
１７      係止溝
２        接触弾性片セット
２１      第一オーディオ端子
２１１    貼り合わせ面
２１２    接続片
２２      第二オーディオ端子
２２１    接続片
２２２    枠片
２３      接地端子
２３１    接続片
２３２    枠片
２４      制御端子
２４１    弾性片
２５      検知端子
２５１    接触点
２６      嵌入片
２６１    ラッチ
２７      挿入ピン
３        光デバイス
３１      挿入ピン
４        グランド
４１      係止ピン
【図１】
0003121165.tif 000003
【図２】
0003121165.tif 000004
【図３】
0003121165.tif 000005
【図４】
0003121165.tif 000006